【手続補正書】
【提出日】平成28年1月14日(2016.1.14)
【手続補正１】
【補正対象書類名】特許請求の範囲
【補正対象項目名】全文
【補正方法】変更
【補正の内容】
【特許請求の範囲】
【請求項１】
ディスクポンプシステムにおいて、
第１のアクチュエータを有する第１のディスクポンプと、
第２のアクチュエータを有する第２のディスクポンプと、
既知の制限部を有する基板であって、前記第１のディスクポンプと前記第２のディスクポンプが前記既知の制限部によって流体連通している、基板と、
前記第１のアクチュエータの変位を示す第１の反射光信号を受信して第１の変位信号をプロセッサに送信するように動作可能な第１の光受信機と、
前記第２のアクチュエータの変位を示す第２の反射光信号を受信して第２の変位信号を前記プロセッサに送信するように動作可能な第２の光受信機と、を備え、
前記プロセッサが、前記第１のディスクポンプ、前記第２のディスクポンプ、前記第１の光受信機、および前記第２の光受信機に接続され、かつ
前記第１の変位信号の受信に応答して前記第１のディスクポンプの前後の第１の圧力差を決定し、
前記第２の変位信号の受信に応答して前記第２のディスクポンプの前後の第２の圧力差を決定し、かつ
前記第１の圧力差および前記第２の圧力差に基づいて前記ディスクポンプシステムの流体の流量を決定するように構成されていることを特徴とするディスクポンプシステム。
【請求項２】
請求項１に記載のディスクポンプシステムにおいて、前記プロセッサが、前記ディスクポンプシステムの前記流体の流量に基づいて漏れが存在するか否かを決定するように動作可能であることを特徴とするディスクポンプシステム。
【請求項３】
請求項１に記載のディスクポンプシステムにおいて、ＲＦトランシーバをさらに備えることを特徴とするディスクポンプシステム。
【請求項４】
請求項１に記載のディスクポンプシステムにおいて、第１の光送信機および第２の光送信機をさらに備え、
前記第１の光送信機が、第１の光信号を送信するように動作可能であり、かつ
前記第２の光送信機が、第２の光信号を送信するように動作可能であることを特徴とするディスクポンプシステム。
【請求項５】
請求項１に記載のディスクポンプシステムにおいて、ドライバをさらに備え、
前記プロセッサが、第１の制御信号および第２の制御信号を前記ドライバに送信するように動作可能であり、
前記ドライバが、第１の駆動信号を前記第１のディスクポンプに送信し、かつ第２の駆動信号を前記第２のディスクポンプに送信するように動作可能であり、
前記第１の駆動信号により、前記第１のディスクポンプが、前記第１のディスクポンプを通る流体の流れを防止し、かつ前記第１の光受信機が、前記第１の変位信号を前記プロセッサに送信し、かつ
前記第２の駆動信号により、前記第２のディスクポンプが、前記第２のディスクポンプを通る流体の流れを供給し、かつ前記第２の光受信機が、前記第２の変位信号を前記プロセッサに送信することを特徴とするディスクポンプシステム。
【請求項６】
ディスクポンプシステムにおいて、
第１のアクチュエータを有する第１のディスクポンプと、
第２のアクチュエータを有する第２のディスクポンプと、
既知の制限部を有する基板であって、前記第１のディスクポンプと前記第２のディスクポンプが前記既知の制限部によって流体連通している、基板と、を備えることを特徴とするディスクポンプシステム。
【請求項７】
請求項６に記載のディスクポンプシステムにおいて、負荷部をさらに備え、前記負荷部が、前記基板に結合されて前記既知の制限部に流体連通していることを特徴とするディスクポンプシステム。
【請求項８】
請求項６に記載のディスクポンプシステムにおいて、前記基板がプリント回路基板であることを特徴とするディスクポンプシステム。
【請求項９】
請求項６に記載のディスクポンプシステムにおいて、前記既知の制限部が、断面積が円形の管形状を有することを特徴とするディスクポンプシステム。
【請求項１０】
請求項６に記載のディスクポンプシステムにおいて、前記既知の制限部が蛇行経路に従うことを特徴とするディスクポンプシステム。
【請求項１１】
請求項６に記載のディスクポンプシステムにおいて、前記既知の制限部が、断面積が円形の管形状を有し、かつ前記既知の制限部が蛇行経路に従うことを特徴とするディスクポンプシステム。
【請求項１２】
請求項６に記載のディスクポンプシステムにおいて、前記第１のディスクポンプが第１の指定流量を有し、前記第２のディスクポンプが第２の指定流量を有し、かつ前記第１の指定流量が前記第２の指定流量よりも大きいことを特徴とするディスクポンプシステム。
【請求項１３】
請求項６に記載のディスクポンプシステムにおいて、前記第１のディスクポンプが第１の指定圧力差を生じさせ、前記第２のディスクポンプが第２の指定圧力差を生じさせ、かつ前記第１の指定圧力差が前記第２の指定圧力差よりも小さいことを特徴とするディスクポンプシステム。
【請求項１４】
請求項６に記載のディスクポンプシステムにおいて、
前記第１のディスクポンプが、第１の指定流量を有し、
前記第２のディスクポンプが、第２の指定流量を有し、
前記第１の指定流量が、前記第２の指定流量よりも大きく、
前記第１のディスクポンプが、第１の指定圧力差を生じさせ、
前記第２のディスクポンプが、第２の指定圧力差を生じさせ、かつ
前記第１の指定圧力差が前記第２の指定圧力差よりも小さいことを特徴とするディスクポンプシステム。
【請求項１５】
ディスクポンプシステムを運転する方法において、
第１の駆動信号を第１のディスクポンプに送信するステップであって、前記第１のディスクポンプが第１のアクチュエータを有する、ステップと、
第２の駆動信号を第２のディスクポンプに送信するステップであって、前記第２のディスクポンプが第２のアクチュエータを有し、前記第１のディスクポンプと前記第２のディスクポンプが、開口を介して負荷部に流体連通し、かつ前記第２のディスクポンプが、既知の制限部を介して前記開口に流体連通している、ステップと、
前記第２のディスクポンプを使用して前記負荷部を減圧するステップと、
前記第１のアクチュエータの変位を示す第１の変位信号を受信するステップと、
前記第２のアクチュエータの変位を示す第２の変位信号を受信するステップと、
前記第１の変位信号の受信に応答して前記第１のディスクポンプの前後の第１の圧力差を決定するステップと、
前記第２の変位信号の受信に応答して前記第２のディスクポンプの前後の第２の圧力差を決定するステップと、
前記第１の圧力差および前記第２の圧力差に基づいて前記ディスクポンプシステムの流体の流量を決定するステップと、を含むことを特徴とする方法。
【請求項１６】
請求項１５に記載の方法において、前記ディスクポンプシステムの前記流体の流量、前記第１のディスクポンプの前後の前記圧力差、および前記第２のディスクポンプの前後の前記圧力差に基づいて漏れを検出するステップをさらに含むことを特徴とする方法。
【請求項１７】
請求項１６に記載の方法において、漏れの検出に応答して前記第１の駆動信号および前記第２の駆動信号を停止するステップをさらに含むことを特徴とする方法。
【請求項１８】
請求項１６に記載の方法において、漏れの検出に応答してアラーム信号を送信するステップをさらに含むことを特徴とする方法。
【請求項１９】
請求項１６に記載の方法において、漏れの検出に応答して前記第１の駆動信号および前記第２の駆動信号を停止すると共にアラーム信号を送信するステップをさらに含むことを特徴とする方法。
【請求項２０】
請求項１６に記載の方法において、漏れの検出に応答して診断プロセスを実行するステップをさらに含むことを特徴とする方法。
【請求項２１】
請求項１６に記載の方法において、漏れの検出に応答して無線警告信号を送信するステップをさらに含むことを特徴とする方法。
【請求項２２】
ディスクポンプシステムにおいて、
第１のアクチュエータを有する第１のディスクポンプと、
第２のアクチュエータを有する第２のディスクポンプと、
流量制限部を有する基板であって、前記第１のディスクポンプの出口および前記第２のディスクポンプの出口が前記制限部の相反する端部に流体連通している、基板と、を備えることを特徴とするディスクポンプシステム。
【請求項２３】
請求項２２に記載のディスクポンプシステムにおいて、負荷部をさらに備え、前記負荷部が、前記第２のディスクポンプと同じ前記制限部の端部で前記制限部に流体連通していることを特徴とするディスクポンプシステム。
【請求項２４】
請求項２２又は２３に記載のディスクポンプシステムにおいて、前記基板がプリント回路基板であることを特徴とするディスクポンプシステム。
【請求項２５】
請求項２２乃至２４の何れか１項に記載のディスクポンプシステムにおいて、前記制限部が、断面積が円形の管形状を有することを特徴とするディスクポンプシステム。
【請求項２６】
請求項２２乃至２５の何れか１項に記載のディスクポンプシステムにおいて、前記制限部が蛇行経路に従うことを特徴とするディスクポンプシステム。
【請求項２７】
請求項２２乃至２６の何れか１項に記載のディスクポンプシステムにおいて、前記第１のディスクポンプが第１の指定流量を有し、前記第２のディスクポンプが第２の指定流量を有し、かつ前記第１の指定流量が前記第２の指定流量よりも大きいことを特徴とするディスクポンプシステム。
【請求項２８】
請求項２２乃至２７の何れか１項に記載のディスクポンプシステムにおいて、前記第１のディスクポンプが第１の指定圧力差を生じさせ、前記第２のディスクポンプが第２の指定圧力差を生じさせ、かつ前記第１の指定圧力差が前記第２の指定圧力差よりも小さいことを特徴とするディスクポンプシステム。
【請求項２９】
請求項２２乃至２８の何れか１項に記載のディスクポンプシステムにおいて、前記第１のアクチュエータおよび前記第２のアクチュエータの変位を測定する手段をさらに備えることを特徴とするディスクポンプシステム。
【請求項３０】
請求項２９に記載のディスクポンプシステムにおいて、前記第１のアクチュエータの前記変位に基づいて前記第１のディスクポンプの前後の圧力差を計算し、かつ前記第２のアクチュエータの前記変位に基づいて前記第２のディスクポンプの前後の圧力差を計算する手段をさらに備えることを特徴とするディスクポンプシステム。
【請求項３１】
請求項３０に記載のディスクポンプシステムにおいて、前記第１のディスクポンプの前後の圧力差および前記第２のディスクポンプの前後の圧力差に基づいて流体の流量を計算する手段をさらに備えることを特徴とするディスクポンプシステム。